(57)【要約】  【課題】  防災訓練をより臨場感あるものにすること。  【解決手段】  防災に携わる複数組織のうちの訓練組織が実行する訓練行動を入出力装置４−１〜４−ｎから収集する訓練行動収集部１４と、複数組織のうちの訓練組織を除く仮想組織から訓練組織に通知される通知情報を訓練行動に基づいて生成するシミュレータ部１３と、通知情報を入出力装置４−１〜４−ｎに配信する通知情報配信部１５とを備えている。  【選択図】図１
2005215531.tif 000002
【特許請求の範囲】
【請求項１】
防災に携わる複数組織のうちの訓練組織が実行する訓練行動を入出力装置から収集する訓練行動収集部と、
前記複数組織のうちの前記訓練組織を除く仮想組織から前記訓練組織に通知される通知情報を前記訓練行動に基づいて生成するシミュレータ部と、
前記通知情報を前記入出力装置に配信する通知情報配信部
とを具備する防災意思決定訓練装置。
【請求項２】
請求項１において、
前記シミュレータ部は、前記仮想組織にそれぞれ対応する複数の組織シミュレータ部を備え、
前記複数の組織シミュレータ部のうちの１つの組織に対応する１つの組織シミュレータ部は、前記複数組織のうちの前記１つの組織を除く他の組織から前記１つの組織に通知される入力情報に基づいて前記１つの組織から前記他の組織に通知される出力情報を生成し、
前記出力情報は、前記通知情報のうちの前記１つの組織から前記訓練組織に通知される情報を含む
防災意思決定訓練装置。
【請求項３】
請求項２において、
前記１つの組織シミュレータ部は、
前記他の組織から前記１つの組織に通知される複数入力情報を前記１つの組織から前記他の組織に通知される複数出力情報に対応付ける防災マニュアルデータベースと、
前記防災マニュアルデータベースを参照して、前記複数出力情報のうちの前記入力情報に対応する正情報を生成する正情報生成部と、
前記正情報に矛盾する誤情報を生成する誤情報生成部と、
前記正情報または前記誤情報の一方を前記出力情報とする不確定性化部とを備える
防災意思決定訓練装置。
【請求項４】
請求項３において、
前記不確定性化部は、前記誤情報を前記出力情報としたときに、前記誤情報を前記正情報に修正する修正情報を前記出力情報とする
防災意思決定訓練装置。
【請求項５】
請求項３において、
前記シミュレータ部は、前記通知情報を通知する通知時刻を更に生成し、
前記通知情報配信部は、前記通知時刻に前記通知情報を前記入出力装置に配信する
防災意思決定訓練装置。
【請求項６】
請求項５において、
前記防災マニュアルデータベースは、前記複数出力情報を複数出力時刻に更に対応付け、
前記正情報生成部は、前記防災マニュアルデータベースを参照して、前記複数出力時刻のうちから前記出力情報に対応する正出力時刻を生成し、
前記誤情報生成部は、前記正出力時刻と異なる誤出力時刻を算出し、
前記不確定性化部は、前記正出力時刻または前記誤出力時刻の一方を前記出力時刻とし、
前記出力時刻は、前記通知時刻のうちの前記１つの組織から前記訓練組織に通知される時刻を含む
防災意思決定訓練装置。
【請求項７】
請求項６において、
前記誤出力時刻は、前記正出力時刻の後である
防災意思決定訓練装置。
【請求項８】
請求項３〜請求項７のいずれかにおいて、
前記不確定性化部は、前記訓練行動が前記１つの組織に不十分な情報を通知することを示すときに、前記不十分な情報を補う情報を要求する問い合わせを前記通知情報とする
防災意思決定訓練装置。
【請求項９】
請求項２〜請求項８のいずれかにおいて、
前記１つの組織シミュレータ部は、前記訓練行動が示す情報が不足しているために前記出力情報を所定の時間までに生成することができないときに、前記訓練行動に不足する情報を適当に補うことにより前記出力情報を生成する
防災意思決定訓練装置。
【請求項１０】
請求項１〜請求項９のいずれかにおいて、
前記訓練組織は、第１組織と第２組織とを含み、
前記訓練行動は、前記第１組織が実行する第１訓練行動と、前記第２組織が実行する第２訓練行動とを含み、
前記入出力装置は、第１入出力装置と第２入出力装置とを含み、
前記訓練行動収集部は、前記第１訓練行動を前記第１入出力装置から収集し、前記第２訓練行動を前記第２入出力装置から収集し、
前記通知情報は、前記第１組織に通知される第１通知情報と、前記第２組織に通知される第２通知情報とを含み、
前記通知情報配信部は、前記第１通知情報を前記第１入出力装置に配信し、前記第２通知情報を前記第２入出力装置に配信し、
前記通知情報配信部は、前記第１訓練行動が前記第２組織に訓練情報を通知することを示すときに、前記訓練情報を前記第２入出力装置に配信する
防災意思決定訓練装置。
【請求項１１】
防災に携わる複数組織のうちの訓練組織が実行する訓練行動を入出力装置から収集するステップと、
前記複数組織のうちの前記訓練組織を除く仮想組織から前記訓練組織に通知される通知情報を前記訓練行動に基づいて生成するステップと、
前記通知情報を前記入出力装置に配信するステップ
とを具備する防災意思決定訓練方法。
【請求項１２】
請求項１１において、
前記仮想組織の各々が実行する仮想行動を生成するステップ
を更に具備する防災意思決定訓練方法。
【請求項１３】
請求項１２において、
前記仮想組織のうちの１つの組織に前記複数組織から通知される複数入力情報を前記１つの組織から前記複数組織に通知される複数出力情報に対応付ける防災マニュアルデータベースを参照して、前記複数出力情報のうちの前記入力情報に対応する正情報を生成するステップと、
前記正情報に矛盾する誤情報を生成するステップと、
前記正情報または前記誤情報の一方を前記出力情報とするステップ
とを更に具備する防災意思決定訓練方法。
【請求項１４】
請求項１３において、
前記誤情報を前記複数組織に通知したときに、前記誤情報を前記正情報に修正する修正情報を前記複数組織に通知するステップ
を更に具備する防災意思決定訓練方法。
【請求項１５】
請求項１３において、
前記通知情報を通知する通知時刻を更に生成するステップと、
前記通知時刻に前記通知情報を前記入出力装置に配信するステップ
とを更に具備する防災意思決定訓練方法。
【請求項１６】
請求項１５おいて、
前記防災マニュアルデータベースは、前記複数出力情報を複数出力時刻に更に対応付け、
更に、
前記防災マニュアルデータベースを参照して、前記複数出力時刻のうちから前記出力情報に対応する正出力時刻を生成するステップと、
前記正出力時刻と異なる誤出力時刻を算出するステップと、
前記正出力時刻または前記誤出力時刻の一方を前記出力時刻とするステップとを具備し、
前記出力時刻は、前記通知時刻のうちの前記１つの組織から前記訓練組織に通知される時刻を含む
防災意思決定訓練方法。
【請求項１７】
請求項１６において、
前記誤出力時刻は、前記正出力時刻の後である
更に具備する防災意思決定訓練方法。
【請求項１８】
請求項１３〜請求項１７のいずれかにおいて、
前記訓練行動が前記１つの組織に不十分な情報を通知することを示すときに、前記不十分な情報を補う情報を要求する問い合わせを前記通知情報とするステップ
を更に具備する防災意思決定訓練方法。
【請求項１９】
請求項１２〜請求項１８のいずれかにおいて、
前記訓練行動が示す情報が不足しているために前記出力情報を所定の時間までに生成することができないときに、前記訓練行動に不足する情報を適当に補うことにより前記出力情報を生成するステップ
を更に具備する防災意思決定訓練方法。
【請求項２０】
防災に携わる複数組織のうちの訓練組織が実行する訓練行動を入出力装置から収集するステップと、
前記複数組織のうちの前記訓練組織を除く仮想組織から前記訓練組織に通知される通知情報を前記訓練行動に基づいて生成するステップと、
前記通知情報を前記入出力装置に配信するステップ
とを具備する防災意思決定訓練プログラム。
【請求項２１】
請求項２０において、
前記仮想組織の各々が実行する仮想行動を生成するステップ
を更に具備する防災意思決定訓練プログラム。
【請求項２２】
請求項２１において、
前記仮想組織のうちの１つの組織に前記複数組織から通知される複数入力情報を前記１つの組織から前記複数組織に通知される複数出力情報に対応付ける防災マニュアルデータベースを参照して、前記複数出力情報のうちの前記入力情報に対応する正情報を生成するステップと、
前記正情報に矛盾する誤情報を生成するステップと、
前記正情報または前記誤情報の一方を前記出力情報とするステップ
とを更に具備する防災意思決定訓練プログラム。
【請求項２３】
請求項２２において、
前記誤情報を前記複数組織に通知したときに、前記誤情報を前記正情報に修正する修正情報を前記複数組織に通知するステップ
を更に具備する防災意思決定訓練プログラム。
【請求項２４】
請求項２２において、
前記通知情報を通知する通知時刻を更に生成するステップと、
前記通知時刻に前記通知情報を前記入出力装置に配信するステップ
とを更に具備する防災意思決定訓練プログラム。
【請求項２５】
請求項２４において、
前記防災マニュアルデータベースは、前記複数出力情報を複数出力時刻に更に対応付け、
更に、
前記防災マニュアルデータベースを参照して、前記複数出力時刻のうちから前記出力情報に対応する正出力時刻を生成するステップと、
前記正出力時刻と異なる誤出力時刻を算出するステップと、
前記正出力時刻または前記誤出力時刻の一方を前記出力時刻とするステップとを具備し、
前記出力時刻は、前記通知時刻のうちの前記１つの組織から前記訓練組織に通知される時刻を含む
防災意思決定訓練プログラム。
【請求項２６】
請求項２５において、
前記誤出力時刻は、前記正出力時刻の後である
防災意思決定訓練プログラム。
【請求項２７】
請求項２２〜請求項２６のいずれかにおいて、
前記訓練行動が前記１つの組織に不十分な情報を通知することを示すときに、前記不十分な情報を補う情報を要求する問い合わせを前記通知情報とするステップ
を更に具備する防災意思決定訓練プログラム。
【請求項２８】
請求項２１〜請求項２７のいずれかにおいて、
前記訓練行動が示す情報が不足しているために前記出力情報を所定の時間までに生成することができないときに、前記訓練行動に不足する情報を適当に補うことにより前記出力情報を生成するステップ
を更に具備する防災意思決定訓練プログラム。
【発明の詳細な説明】
【技術分野】
【０００１】
本発明は、防災意思決定訓練装置及び防災意思決定訓練方法に関し、特に、防災訓練に利用される防災意思決定訓練装置及び防災意思決定訓練方法に関する。
【背景技術】
【０００２】
防災に携わる関係機関相互の連携を強化するための防災訓練が実施されている。その防災訓練は、頻度が低く、その関係機関の構成員は、災害時に、防災マニュアルに沿わない行動を実行し、間違った情報を伝達し、または、必要な行動を実行しない可能性も想定される。このため、特に、原子力災害の防災訓練は、より効果的に実施されることが望まれている。コンピュータシステムを用いて効果的に防災訓練を実施する防災訓練システムが知られている。その防災訓練システムは、より臨場感ある防災訓練を実行することが望まれている。
【０００３】
特許文献１には、原子力災害時の防災活動に携わる個人、集団（組織体）を訓練し、その熟練度を向上するシステムとして供することができ、更に、訓練後の評価を含めて支援することができる原子力災害対策訓練支援システムが開示されている。その原子力災害対策訓練支援システムは、訓練項目および訓練被験者の役割および訓練対象となるリスク事象の入力ならび表示される対策項目から訓練被験者の言動の入力を促す入力装置と、予め訓練に必要な情報を記録したフェデレートと、前記入力装置から入力された初期設定値および訓練被験者の言動に基づいて、原子力災害時の防災活動に携わる個人、集団を訓練し、その熟練度を向上するコンピュータシステムを供する。
【０００４】
非特許文献１には、原子力災害における複数のエージェントの行動を予測するシミュレーションシステムが開示されている。そのシミュレーションシステムでは、各組織が数学的モデルにより表現されて、各エージェントの行動が情報の移動としてシミュレーションされている。
【０００５】
【特許文献１】特開２００３−２１６０１７号公報
【非特許文献１】Ｔａｒｏ  ＫＡＮＮＯ、Ｙｕｓｕｋｅ  ＭＯＲＩＭＯＴＯ、ａｎｄ  Ｋａｚｕｏ  ＦＵＲＵＴＡ、Ｄｅｖｅｌｏｐｍｅｎｔ  ｏｆ  ａ  Ｓｉｍｕｌａｔｉｏｎ  Ｓｙｓｔｅｍ  ｏｆ  Ｅｍｅｒｇｅｎｃｙ  Ｒｅｓｐｏｎｓｅ  ｉｎ  Ｎｕｃｌｅａｒ  Ｄｉｓａｓｔｅｒ、１ｓｔ  Ｉｎｔ．Ｓｙｍｐ．Ｓｙｓｔｅｍ  ａｎｄ  Ｈｕｍａｎ  Ｓｃｉｅｎｃｅ  ｆｏｒ  Ｓａｆｅｔｙ、Ｓｅｃｕｒｉｔｙ  ａｎｄ  Ｄｅｐｅｎｄａｂｉｌｉｔｙ、Ｏｓａｋａ、２００３
【発明の開示】
【発明が解決しようとする課題】
【０００６】
本発明の課題は、防災訓練をより実際的で臨場感あるものにする防災意思決定訓練装置及び防災意思決定訓練方法を提供することにある。
【課題を解決するための手段】
【０００７】
以下に、発明を実施するための最良の形態・実施例で使用される符号を括弧付きで用いて、課題を解決するための手段を記載する。この符号は、特許請求の範囲の記載と発明を実施するための最良の形態・実施例の記載との対応を明らかにするために付加されたものであり、特許請求の範囲に記載されている発明の技術的範囲の解釈に用いてはならない。
【０００８】
本発明による防災意思決定訓練装置（１）は、防災に携わる複数組織のうちの訓練組織が実行する訓練行動を入出力装置（４−１〜４−ｎ）から収集する訓練行動収集部（１４）と、複数組織のうちの訓練組織を除く仮想組織から訓練組織に通知される通知情報を訓練行動に基づいて生成するシミュレータ部（１３）と、通知情報を入出力装置（４−１〜４−ｎ）に配信する通知情報配信部（１５）とを備えている。
【０００９】
シミュレータ部（１３）は、仮想組織にそれぞれ対応する複数の組織シミュレータ部（３１−１〜３１−ｍ）を備えている。複数の組織シミュレータ部（３１−１〜３１−ｍ）のうちの１つの組織に対応する１つの組織シミュレータ部（３１−ｊ）は、複数組織のうちの１つの組織を除く他の組織から１つの組織に通知される入力情報に基づいて１つの組織から他の組織に通知される出力情報を生成し、出力情報は、通知情報のうちの１つの組織から訓練組織に通知される情報を含む。このとき、複数の組織シミュレータ部（３１−１〜３１−ｍ）のうちの訓練組織に対応するシミュレータ部（１３）は、実行されない。
【００１０】
１つの組織シミュレータ部（３１−ｊ）は、他の組織から１つの組織に通知される複数入力情報を１つの組織から他の組織に通知される複数出力情報に対応付ける防災マニュアルデータベース（３２）と、防災マニュアルデータベース（３２）を参照して、複数出力情報のうちの入力情報に対応する正情報を生成する正情報生成部と、正情報に矛盾する誤情報を生成する誤情報生成部と、正情報または誤情報の一方を出力情報とする不確定性化部とを備えている。このとき、防災意思決定訓練装置（１）は、訓練者（６−１〜６−ｎ）に誤情報を与えることができ、より臨場感を与えることができる。
【００１１】
不確定性化部は、誤情報を出力情報としたときに、誤情報を正情報に修正する修正情報を出力情報とする。
【００１２】
シミュレータ部（１３）は、通知情報を通知する通知時刻を更に生成し、通知情報配信部（１５）は、通知時刻に通知情報を入出力装置（４−１〜４−ｎ）に配信する。このとき、防災意思決定訓練装置（１）は、時刻を正確にシミュレーションすることができ、より臨場感を与えることができる。
【００１３】
防災マニュアルデータベース（３２）は、複数出力情報を複数出力時刻に更に対応付けている。このとき、正情報生成部は、防災マニュアルデータベース（３２）を参照して、複数出力時刻のうちから出力情報に対応する正出力時刻を生成し、誤情報生成部は、正出力時刻と異なる誤出力時刻を算出し、不確定性化部は、正出力時刻または誤出力時刻の一方を出力時刻とし、出力時刻は、通知時刻のうちの１つの組織から訓練組織に通知される時刻を含む。その誤出力時刻は、その正出力時刻より遅い時刻である。このとき、防災意思決定訓練装置（１）は、訓練者（６−１〜６−ｎ）に情報の通知を遅らせることができ、より臨場感を与えることができる。
【００１４】
不確定性化部は、訓練行動が１つの組織に不十分な情報を通知することを示すときに、不十分な情報を補う情報を要求する問い合わせを通知情報とする。１つの組織シミュレータ部（３１−ｊ）は、訓練行動が示す情報が不足しているために出力情報を所定の時間までに生成することができないときに、訓練行動に不足する情報を適当に補うことにより出力情報を生成することが好ましい。
【００１５】
訓練組織は、第１組織と第２組織とを含んでいる。訓練行動は、第１組織が実行する第１訓練行動と、第２組織が実行する第２訓練行動とを含んでいる。入出力装置（４−１〜４−ｎ）は、第１入出力装置（４−１〜４−ｎ）と第２入出力装置（４−１〜４−ｎ）とを含んでいる。訓練行動収集部（１４）は、第１訓練行動を第１入出力装置（４−１〜４−ｎ）から収集し、第２訓練行動を第２入出力装置（４−１〜４−ｎ）から収集し、通知情報は、第１組織に通知される第１通知情報と、第２組織に通知される第２通知情報とを含んでいる。通知情報配信部（１５）は、第１通知情報を第１入出力装置（４−１〜４−ｎ）に配信し、第２通知情報を第２入出力装置（４−１〜４−ｎ）に配信し、通知情報配信部（１５）は、第１訓練行動が第２組織に訓練情報を通知することを示すときに、訓練情報を第２入出力装置（４−１〜４−ｎ）に配信する。すなわち、防災意思決定訓練装置（１）は、複数組織の訓練を実行することができる。
【００１６】
本発明による防災意思決定訓練方法は、防災に携わる複数組織のうちの訓練組織が実行する訓練行動を入出力装置（４−１〜４−ｎ）から収集するステップと、複数組織のうちの訓練組織を除く仮想組織から訓練組織に通知される通知情報を訓練行動に基づいて生成するステップと、通知情報を入出力装置（４−１〜４−ｎ）に配信するステップとを備えている。
【００１７】
本発明による防災意思決定訓練方法は、仮想組織の各々が実行する仮想行動を生成するステップを更に備えている。
【００１８】
本発明による防災意思決定訓練方法は、仮想組織のうちの１つの組織に複数組織から通知される複数入力情報を１つの組織から複数組織に通知される複数出力情報に対応付ける防災マニュアルデータベース（３２）を参照して、複数出力情報のうちの入力情報に対応する正情報を生成するステップと、正情報に矛盾する誤情報を生成するステップと、正情報または誤情報の一方を出力情報とするステップとを更に備えている。
【００１９】
本発明による防災意思決定訓練方法は、誤情報を複数組織に通知したときに、誤情報を正情報に修正する修正情報を複数組織に通知するステップを更に備えている。
【００２０】
本発明による防災意思決定訓練方法は、通知情報を通知する通知時刻を更に生成するステップと、通知時刻に通知情報を入出力装置（４−１〜４−ｎ）に配信するステップとを更に備えている。
【００２１】
防災マニュアルデータベース（３２）は、複数出力情報を複数出力時刻に更に対応付けている。このとき、本発明による防災意思決定訓練方法は、更に、防災マニュアルデータベース（３２）を参照して、複数出力時刻のうちから出力情報に対応する正出力時刻を生成するステップと、正出力時刻と異なる誤出力時刻を算出するステップと、正出力時刻または誤出力時刻の一方を出力時刻とするステップとを備えている。このとき、出力時刻は、通知時刻のうちの１つの組織から訓練組織に通知される時刻を含んでいる。その誤出力時刻は、その正出力時刻より遅い時刻である。このような防災意思決定訓練方法によれば、訓練者（６−１〜６−ｎ）により臨場感を与えることができる。
【００２２】
本発明による防災意思決定訓練方法は、訓練行動が１つの組織に不十分な情報を通知することを示すときに、不十分な情報を補う情報を要求する問い合わせを通知情報とするステップを更に備えている。本発明による防災意思決定訓練方法は、訓練行動が示す情報が不足しているために出力情報を所定の時間までに生成することができないときに、その訓練行動に不足する情報を適当に補うことにより出力情報を生成するステップを更に備えていることが好ましい。
【００２３】
本発明による防災意思決定訓練プログラムは、コンピュータである防災意思決定訓練装置（１）により実行されるコンピュータプログラムであり、そのコンピュータプログラムの部分として、防災に携わる複数組織のうちの訓練組織が実行する訓練行動を入出力装置（４−１〜４−ｎ）から収集するステップと、複数組織のうちの訓練組織を除く仮想組織から訓練組織に通知される通知情報を訓練行動に基づいて生成するステップと、通知情報を入出力装置（４−１〜４−ｎ）に配信するステップとを備えている。
【００２４】
本発明による防災意思決定訓練プログラムは、仮想組織の各々が実行する仮想行動を生成するステップを更に備えている。
【００２５】
本発明による防災意思決定訓練プログラムは、仮想組織のうちの１つの組織に複数組織から通知される複数入力情報を１つの組織から複数組織に通知される複数出力情報に対応付ける防災マニュアルデータベース（３２）を参照して、複数出力情報のうちの入力情報に対応する正情報を生成するステップと、正情報に矛盾する誤情報を生成するステップと、正情報または誤情報の一方を出力情報とするステップとを更に備えている。
【００２６】
本発明による防災意思決定訓練プログラムは、誤情報を複数組織に通知したときに、誤情報を正情報に修正する修正情報を複数組織に通知するステップを更に備えている。
【００２７】
本発明による防災意思決定訓練プログラムは、通知情報を通知する通知時刻を更に生成するステップと、通知時刻に通知情報を入出力装置（４−１〜４−ｎ）に配信するステップとを更に備えている。
【００２８】
防災マニュアルデータベース（３２）は、複数出力情報を複数出力時刻に更に対応付けている。このとき、本発明による防災意思決定訓練プログラムは、更に、防災マニュアルデータベース（３２）を参照して、複数出力時刻のうちから出力情報に対応する正出力時刻を生成するステップと、正出力時刻と異なる誤出力時刻を算出するステップと、正出力時刻または誤出力時刻の一方を出力時刻とするステップとを備えている。このとき、出力時刻は、通知時刻のうちの１つの組織から訓練組織に通知される時刻を含んでいる。その誤出力時刻は、その正出力時刻より遅い時刻である。このような防災意思決定訓練プログラムによれば、訓練者（６−１〜６−ｎ）により臨場感を与えることができる。
【００２９】
本発明による防災意思決定訓練プログラムは、訓練行動が１つの組織に不十分な情報を通知することを示すときに、不十分な情報を補う情報を要求する問い合わせを通知情報とするステップを更に備えている。本発明による防災意思決定訓練プログラムは、訓練行動が示す情報が不足しているために出力情報を所定の時間までに生成することができないときに、その訓練行動に不足する情報を適当に補うことにより出力情報を生成するステップを更に備えていることが好ましい。
【発明の効果】
【００３０】
本発明による防災意思決定訓練装置及び防災意思決定訓練方法は、防災訓練をより臨場感あるものにすることができる。
【発明を実施するための最良の形態】
【００３１】
図面を参照して、本発明による防災意思決定訓練装置の実施の形態を記載する。その防災意思決定訓練装置１は、図１に示されているように、防災意思決定訓練システム２に適用されている。防災意思決定訓練システム２は、インターネット３を介して複数の情報処理装置（コンピュータ）が互いに双方向に情報を伝送することができるように接続されている。その複数の情報処理装置は、防災意思決定訓練装置１と複数の訓練者端末４−１〜４−ｎ（ｎ＝２，３，４，…）とから形成されている。防災意思決定訓練装置１は、ワークステーションに例示される情報処理装置である。防災意思決定訓練装置１は、図示されていない入出力装置を備え、防災訓練主催者５により使用される。訓練者端末４−ｉ（ｉ＝１，２，３，…，ｎ）は、パーソナルコンピュータに例示される情報処理装置である。訓練者端末４−ｉは、図示されていない入出力装置を備え、訓練者６−ｉにより使用される。
【００３２】
防災訓練主催者５は、防災意思決定訓練システム２を用いた防災訓練を主催する。その防災訓練は、原子力災害に例示される災害による被害の発生または拡大を防止することに携わる複数の組織により実行され、その防災訓練に参加する組織の状況把握力、意思決定能力、情報伝達力および指揮能力を向上させることを目的とする。その複数の組織としては、原子力事業者、オフサイトセンタ、中央官庁、自治体、住民、報道関係が例示される。その原子力事業者は、原子力プラントを運転する事業者であり、原子力事故が発生したときに、事故の状況を他の組織に通知する。そのオフサイトセンタは、その事故が発生した施設の周辺を拠点として設置された組織である。その中央官庁は、その災害が発生した国の行政官庁の一部であり、その災害に関する行政事務を行う組織である。その自治体は、災害が発生した施設が設置される地域の行政事務を行う組織である。その住民は、その災害が発生した施設の周辺に居住する住民である。その報道関係は、その発生した災害に関する情報を公衆に公開する組織である。訓練者６−１〜６−ｎは、それぞれ、その複数の組織のうちの防災訓練に参加する組織に所属している。すなわち、訓練者端末４−１〜４−ｎは、その複数の組織のうちの防災訓練に参加する組織に対応している。訓練者端末４−ｉに対応する１つの組織は、以下、本明細書中で「第ｉ組織」と記載される。その防災訓練に参加する組織としては、その原子力事業者、そのオフサイトセンタ、その中央官庁、その自治体が例示される。
【００３３】
なお、本実施の形態では、訓練者端末４−１〜４−ｎと訓練者６−１〜６−ｎとがそれぞれ複数として記載されているが、訓練者端末４−１〜４−ｎと訓練者６−１〜６−ｎとをそれぞれ単数とすることもできる。このとき、防災意思決定訓練装置１は、訓練者端末４−ｉと同一の情報処理装置で実現されることもできる。
【００３４】
図２は、防災意思決定訓練装置１を示している。防災意思決定訓練装置１は、コンピュータプログラムである訓練履歴データベース１１と訓練内容設定部１２とシミュレータ部１３と訓練行動収集部１４と通知情報配信部１５と訓練履歴記録部１６と採点部１７とを備えている。
【００３５】
訓練履歴データベース１１は、防災意思決定訓練システム２を用いて過去に実行された防災訓練において、防災に携わる複数の組織が実行した行動の履歴を記録している。訓練内容設定部１２は、その防災訓練に関する情報を設定する。その情報は、防災訓練主催者５により防災意思決定訓練装置１に入力される情報であり、防災訓練で発生する加害事象とその加害事象の進展状況とその防災に携わる複数の組織のうちの防災訓練に参加する組織とを示している。その情報として、さらに、訓練履歴データベース１１に記載されている防災訓練の途中の時点を示すこともできる。このとき、防災意思決定訓練システム２を用いて実行される防災訓練は、その途中から始めることもできる。
【００３６】
シミュレータ部１３は、その防災に携わる複数の組織のうちの防災訓練に参加しない組織の行動をシミュレーションする。訓練行動収集部１４は、その防災に携わる複数の組織のうちの防災訓練に参加している組織の行動を訓練者端末４−１〜４−ｎから収集する。通知情報配信部１５は、シミュレータ部１３により生成される行動または訓練行動収集部１４により収集される行動が第ｉ組織への情報の通知を示すときに、第ｉ組織に対応する訓練者端末４−ｉにその情報を配信する。訓練履歴記録部１６は、防災訓練を実行しているときに、シミュレータ部１３によりシミュレーションされた組織の行動と訓練行動収集部１４により収集された組織の行動とを訓練履歴データベース１１に記録する。採点部１７は、その防災訓練が完了したときに、訓練行動収集部１４により収集された組織の行動に基づいて各訓練者６−ｉが入力した行動を評価する。すなわち、採点部１７は、各訓練者端末４−ｉから収集された組織の行動が安全面、経済面、社会的影響面に与える得失を合算して、各訓練者６−ｉの熟練度を評価する。
【００３７】
図３は、訓練履歴データベース１１を示している。訓練履歴データベース１１は、時刻２１に対応付けて各組織の行動２２が記録されている。各組織の行動２２は、シミュレータ部１３により生成された行動または訓練行動収集部１４により収集された行動を示している。その行動は、どの組織がどの組織にどのような情報を通知したかを示している。時刻２１は、各組織の行動２２により示される行動が実行された時刻を示している。
【００３８】
図４は、シミュレータ部１３を示している。シミュレータ部１３は、コンピュータプログラムである複数の組織シミュレータ部３１−１〜３１−ｍ（ｍ＝２，３，４，…）から形成されている。組織シミュレータ部３１−１〜３１−ｍは、防災に携わる複数の組織に対応し、それぞれ、対応する組織の行動をシミュレーションする。すなわち、組織シミュレータ部３１−ｊ（ｊ＝１，２，３，…，ｍ）は、災害に携わる複数の組織のうちの１つの組織（以下、本明細書中で「第ｊ組織」と記載される。）の行動を出力する。シミュレータ部１３は、防災訓練の最中に、組織シミュレータ部３１−１〜３１−ｍのうちの訓練内容設定部１２により設定された防災訓練に参加する組織に対応する組織シミュレータ部が実行されない。
【００３９】
図５は、組織シミュレータ部３１−ｊを示している。組織シミュレータ部３１−ｊは、コンピュータプログラムである防災マニュアルデータベース３２と正情報生成部３３と誤情報生成部３４と不確定性化部３５とを備えている。防災マニュアルデータベース３２は、第ｊ組織の行動指針を記録している。正情報生成部３３は、防災マニュアルデータベース３２を参照して、その第ｊ組織の正しい行動を生成する。その行動としては、防災に関する情報を所定の時刻に他の組織に通知する行動が例示される。誤情報生成部３４は、正情報生成部３３により生成された行動と異なる間違った行動を生成する。その間違った行動としては、通知すべき正しい情報に矛盾する間違った情報を他の組織に通知する行動、通知すべき時刻に遅れて情報を他の組織に通知する行動、通知すべき情報を通知し忘れる行動が例示される。
【００４０】
不確定性化部３５は、所定の確率で、正情報生成部３３により生成される行動または誤情報生成部３４により生成される行動の一方を選択する。このとき、組織シミュレータ部３１−ｊは、不確定性化部３５により選択された行動をその組織が実行する行動として出力する。不確定性化部３５は、さらに、誤情報生成部３４により生成される間違った行動を選択したときに、その行動を修正するための修正行動を生成する。その修正行動としては、間違った情報を他の組織に通知したときの、その間違った情報を正しい情報に修正する情報を通知する行動が例示される。このとき、組織シミュレータ部３１−ｊは、その修正行動をその組織が実行する行動として出力する。不確定性化部３５は、さらに、第ｉ組織から通知される情報が不十分であるときに、その情報を補う情報を第ｉ組織に要求する問い合わせを生成する。このとき、組織シミュレータ部３１−ｊは、その問い合わせをその組織が実行する行動として出力する。このような不確定性化部３５によれば、間違いを起こす組織の動作をシミュレーションすることができ、防災意思決定訓練システム２を用いた防災訓練に臨場感を与えることができる。
【００４１】
図６は、組織シミュレータ部３１−ｊの防災マニュアルデータベース３２を示している。防災マニュアルデータベース３２は、入力情報３６に対応付けて、行動を記録している。その行動は、通知先３７と通知内容３８と通知時刻３９とから形成されている。入力情報３６は、第ｊ組織に他の組織から通知される情報を示している。通知先３７は、入力情報３６に示される情報が第ｊ組織に通知されたときに、第ｊ組織が連絡すべき他の組織を示している。通知内容３８は、入力情報３６に示される情報が第ｊ組織に通知されたときに、通知先３７に示される組織に通知すべき情報を示している。通知時刻３９は、入力情報３６に示される情報が第ｊ組織に通知された時刻からの時間を示し、通知先３７に示される組織に通知内容３８により示される情報を通知すべき時刻を示している。
【００４２】
このとき、組織シミュレータ部３１−ｊの正情報生成部３３は、その第ｊ組織に他の組織から通知される情報を収集する。その情報は、組織シミュレータ部３１−ｊ’（ｊ’＝１，２，３，…，ｍ、ｊ’≠ｊ）により生成される情報と、訓練行動収集部１４により収集される情報とを含んでいる。正情報生成部３３は、防災マニュアルデータベース３２を参照して、その収集された情報に対応する行動を正しい行動として出力する。正情報生成部３３は、さらに、ある行動を実行すべき時刻までに、防災マニュアルデータベース３２からその行動を抽出するための情報が不足しているときに、その不足した情報を適当に生成することにより、その行動を出力する。その不足した条件は、他の組織から収集された情報に基づいて生成され、または、他の組織から通知され得る複数の情報から確率的に選択されて生成される。このとき、通知情報配信部１５は、組織シミュレータ部３１−ｊにより出力される行動が示す通知先の組織が防災訓練に参加している組織であるときに、その行動が示す通知時刻にその行動が示す通知内容をその参加する組織に対応する訓練者端末４−ｉに配信する。
【００４３】
本発明による防災意思決定訓練方法の実施の形態は、防災意思決定訓練装置１により実行され、防災訓練を実行する動作と、訓練者６−ｉの熟練度を評価する動作とを備えている。
【００４４】
図７は、防災訓練を実行する動作を示している。防災訓練主催者５は、まず、防災意思決定訓練装置１を用いて、防災訓練で発生する加害事象とその加害事象の進展状況とその防災に携わる複数の組織のうちの防災訓練に参加する組織とを設定する（ステップＳ１）。防災意思決定訓練装置１は、その防災に携わる複数の組織のうちの防災訓練に参加しない組織の行動をシミュレーションする（ステップＳ２）。防災意思決定訓練装置１は、シミュレーションにより生成された行動が第ｉ組織への情報の通知を示すときに、その行動が示す通知時刻にその情報を訓練者端末４−ｉに配信する（ステップＳ３）。訓練者端末４−ｉは、防災意思決定訓練装置１から配信される情報を表示する。訓練者６−ｉは、訓練者端末４−ｉを用いて、その情報に基づいて第ｉ組織が実行すべき行動を決定し、その決定した行動を訓練者端末４−ｉに入力する。防災意思決定訓練装置１は、訓練者６−１〜６−ｎにより決定された行動を訓練者端末４−１〜４−ｎからそれぞれ収集する（ステップＳ４）。
【００４５】
防災意思決定訓練装置１は、シミュレーションされた組織の行動と訓練者端末４−１〜４−ｎから収集された組織の行動とをその行動が実行された時刻に対応付けて訓練履歴データベース１１に記録する（ステップＳ５）。防災意思決定訓練装置１は、所定の時刻まで、ステップＳ２〜ステップＳ５の処理を繰り返して実行する。
【００４６】
このような防災訓練を実行する動作が終了した後に、反省会が開催される。その反省会では、訓練者６−１〜６−ｎにより決定された行動の適否が議論される。
【００４７】
なお、防災意思決定訓練装置１は、ステップＳ１において、このような情報を設定することに置換して、訓練履歴データベース１１に記載されている防災訓練の途中の時点を設定することもできる。このとき、防災意思決定訓練装置１は、ステップＳ２〜ステップＳ５までの処理を既述の動作と同様にして実行する。このような動作によれば、防災意思決定訓練システム２を用いて実行される防災訓練は、過去に実施した防災訓練の途中から始めることもでき、反省会により困難であると指摘されたシーンを繰り返し訓練することができる。このような動作によれば、さらに、一連の防災訓練を何回かに分けて実行することもできる。また、一部の訓練者の訓練を中断し、以降の行動をシミュレータに引継ぎ、他の訓練者の訓練を継続するといったことも可能となる。
【００４８】
防災意思決定訓練装置１は、図７のステップＳ２の処理において、その防災に携わる複数の組織のうちの防災訓練に参加しない複数の組織の行動をそれぞれシミュレーションしている。図８は、ステップＳ２の処理において実行される第ｊ組織の行動をシミュレーションする動作を示している。防災意思決定訓練装置１は、まず、第ｊ組織に他の組織から通知される情報を収集する（ステップＳ１１）。その情報は、シミュレーションにより生成される情報、または、訓練者端末４−１〜４−ｎから収集される情報である。防災意思決定訓練装置１は、防災マニュアルデータベース３２を参照して、収集された情報に対応する正しい行動を生成する（ステップＳ１２）。その行動は、第ｊ組織がどの組織にどのような情報をいつ通知するかを示している。防災意思決定訓練装置１は、さらに、ある行動を実行すべき時刻までに、防災マニュアルデータベース３２からその行動を抽出するための情報が不足しているときに、その不足した情報を適当に生成することにより、その行動を出力する。その不足した条件は、他の組織から収集された情報に基づいて生成され、または、他の組織から通知され得る複数の情報から確率的に選択されて生成される。
【００４９】
防災意思決定訓練装置１は、その行動を実行するか実行しないかを所定の確率で選択する（ステップＳ１３）。防災意思決定訓練装置１は、その行動を実行することが選択されたときに（ステップＳ１３、ＹＥＳ）、その行動を正しい時刻に実行するか遅れて実行するかを所定の確率で選択する（ステップＳ１４）。防災意思決定訓練装置１は、その行動を遅れて実行することが選択されたときに（ステップＳ１４、ＹＥＳ）、ステップＳ１２により生成された通知時刻を遅らせる（ステップＳ１５）。
【００５０】
防災意思決定訓練装置１は、その行動を正しい時刻に実行することが選択されたときに（ステップＳ１４、ＮＯ）、または、ステップＳ１５を実行した後に、その行動を間違えるか間違えないかを所定の確率で選択する（ステップＳ１６）。防災意思決定訓練装置１は、その行動を間違えないことが選択されたときに（ステップＳ１６、ＮＯ）、その正しい行動が示す組織にその正しい行動が示す情報を通知する行動を第ｊ組織の行動として出力する（ステップＳ１７）。防災意思決定訓練装置１は、その行動を間違えることが選択されたときに（ステップＳ１６、ＹＥＳ）、ステップＳ１２により生成された行動と異なる間違った行動を生成し、その間違った行動を第ｊ組織の行動として出力する（ステップＳ１８）。その間違った行動としては、通知すべき正しい情報に矛盾する間違った情報を他の組織に通知する行動、通知すべき時刻に遅れて情報を他の組織に通知する行動、通知すべき情報を通知し忘れる行動が例示される。
【００５１】
このとき、防災意思決定訓練装置１は、間違いを起こす組織の動作をシミュレーションすることができ、訓練者６−１〜６−ｎに防災訓練の臨場感を与えることができる。
【００５２】
訓練者６−ｉの熟練度を評価する動作は、その防災訓練が完了したときに、実行される。防災意思決定訓練装置１は、各訓練者端末４−ｉから収集された組織の行動に基づいて各訓練者６−ｉが入力した行動を評価する。すなわち、防災意思決定訓練装置１は、各訓練者端末４−ｉから収集された組織の行動が安全面、経済面、社会的影響面に与える得失を合算して、各訓練者６−ｉの熟練度を評価する。
【図面の簡単な説明】
【００５３】
【図１】図１は、防災意思決定訓練システムを示すブロック図である。
【図２】図２は、本発明による防災意思決定訓練装置の実施の形態を示すブロック図である。
【図３】図３は、訓練履歴データベースを示す図である。
【図４】図４は、シミュレータ部を示すブロック図である。
【図５】図５は、第ｊシミュレータ部を示すブロック図である。
【図６】図６は、防災マニュアルデータベースを示す図である。
【図７】図７は、防災訓練を実行する動作を示すフローチャートである。
【図８】図８は、各組織の行動をシミュレーションする動作を示すフローチャートである。
【符号の説明】
【００５４】
１  ：防災意思決定訓練装置
２  ：防災意思決定訓練システム
３  ：インターネット
４−１〜４−ｎ：訓練者端末
５  ：防災訓練主催者
６−１〜６−ｎ：訓練者
１１：訓練履歴データベース
１２：訓練内容設定部
１３：シミュレータ部
１４：訓練行動収集部
１５：通知情報配信部
１６：訓練履歴記録部
１７：採点部
２１：時刻
２２：各組織の行動
３１−１〜３１−ｍ：組織シミュレータ部
３２：防災マニュアルデータベース
３３：正情報生成部
３４：誤情報生成部
３５：不確定性化部
３６：入力情報
３７：通知先
３８：通知内容
３９：通知時刻
【図１】
2005215531.tif 000003
【図２】
2005215531.tif 000004
【図３】
2005215531.tif 000005
【図４】
2005215531.tif 000006
【図５】
2005215531.tif 000007
【図６】
2005215531.tif 000008
【図７】
2005215531.tif 000009
【図８】
2005215531.tif 000010